(57)【要約】【課題】従動ローラを支持する板バネの取り付け作業が容易で、駆動ローラに対する従動ローラの位置精度を向上させ得る紙搬送装置を提供する。【解決手段】板バネ３２の穴３８を転写／反転ガイド板９の受け突起３７に挿入してその周りで回動可能に保持する。転写／反転ガイド板９の支持爪４１を板バネ３２の板バネ固定穴４２に挿入し、支持爪４１で板バネ３２を押さえる。板バネ固定穴４２は、板バネ３２が動けるように支持爪４１よりも大きな開口形状とする。板バネ３２の穴３８と板バネ固定穴４２の中心線を転写／反転ガイド板９の受け突起３７と支持爪４１の中心線上に合わせなくても、板バネ３２を転写／反転ガイド板９に取り付けられる。また駆動ローラ３０が回転して板バネ３２に回転モーメントが掛かると、これが０になるように板バネ３２が回転し、駆動ローラ３０に対し従動ローラ３１は平行に保持される。【選択図】　　　　図５
2004131283.tif 000002
【特許請求の範囲】
【請求項１】
紙搬送用の駆動ローラと、該駆動ローラに圧接させる従動ローラと、該従動ローラを回転可能に支持するとともに上記駆動ローラに上記従動ローラを圧接付勢する板バネとを備え、上記駆動ローラと上記従動ローラとで用紙を搬送する紙搬送装置において、上記板バネを、上記駆動ローラ及び上記従動ローラの圧接部分を含む面と垂直な軸の周りで回転可能に保持してなることを特徴とする紙搬送装置。
【請求項２】
請求項１の紙搬送装置において、上記板バネを支持する部材を備え、上記板バネの上記支持部材への取り付け部位に穴を設け、該穴に、上記支持部材に設けた突起を嵌合させて上記板バネを回転可能に保持してなることを特徴とする紙搬送装置。
【請求項３】
請求項１の紙搬送装置において、上記板バネを支持する部材を備え、上記板バネの上記支持部材への取り付け部位に穴を設け、該穴と、上記支持部材に設けた穴とを通して段付きネジを上記支持部材にねじ込み、該段付きネジの段部で上記板バネを回転可能に保持してなることを特徴とする紙搬送装置。
【請求項４】
紙搬送用の駆動ローラと、該駆動ローラに圧接させる従動ローラと、該従動ローラを回転可能に支持するとともに上記駆動ローラに上記従動ローラを圧接付勢する平坦形状の板バネとを備え、該板バネの一端部に設けた一対の曲げ部の穴間に上記従動ローラの軸を支持して該従動ローラを上記駆動ローラと平行に支持し、上記駆動ローラと上記従動ローラとの間に挟んだ用紙を搬送する紙搬送装置において、上記板バネを支持する部材を備え、該支持部材の上記板バネの取り付け部位に穴を設け、該穴に上記支持部材に設けた突起を嵌合させ、上記板バネを、上記駆動ローラ及び上記従動ローラの圧接部分を含む面と垂直な軸の周りで上記嵌合部位を中心に回転可能に保持してなることを特徴とする紙搬送装置。
【請求項５】
紙搬送用の駆動ローラと、該駆動ローラに圧接させる従動ローラと、該従動ローラを回転可能に支持するとともに上記駆動ローラに上記従動ローラを圧接付勢する平坦形状の板バネとを備え、該板バネの一端部に設けた一対の曲げ部の穴間に上記従動ローラの軸を支持して該従動ローラを上記駆動ローラと平行に支持し、上記駆動ローラと上記従動ローラとの間に挟んだ用紙を搬送する紙搬送装置において、上記板バネを支持する部材を備え、上記板バネの上記支持部材への取り付け部位に穴を設け、該穴と上記支持部材に設けた穴とを通して段付きネジを上記支持部材にねじ込み、該段付きネジの段部で上記板バネを上記支持部材から浮かせて、上記駆動ローラ及び上記従動ローラの圧接部分を含む面と垂直な軸の周りで上段付きネジの軸線を中心に回転可能に保持してなることを特徴とする紙搬送装置。
【請求項６】
紙搬送用の駆動ローラと、該駆動ローラに圧接させる従動ローラと、該従動ローラを回転可能に支持するとともに上記駆動ローラに上記従動ローラを圧接付勢する板バネとを備え、上記駆動ローラと上記従動ローラとで用紙を搬送する紙搬送装置であって、上記板バネを、上記駆動ローラ及び上記従動ローラの圧接部分を含む面と垂直な軸の周りで回転可能に保持するものにおいて、上記板バネを支持する支持部材を備え、該支持部材が上記板バネ支持位置に突起を備え、上記板バネの該支持部材への取り付け部位に上記突起が嵌合可能な第１の穴を設け、上記板バネの上記従動ローラを圧接付勢する側との反対側の部位に第２の穴を設け、上記支持部材の該第２の穴との対応部位に該第２の穴の縁に引っ掛け可能な爪部を備えてなることを特徴とする紙搬送装置。
【請求項７】
請求項６の画像形成装置用の紙搬送装置において、上記支持部材の爪部を引っ掛ける上記板バネの第２の穴の縁が、上記第１の穴から離れる方向へ凸となる円弧形状を有するとともに、上記爪部の該円弧形状の縁に対峙する部位が、該縁と非接触または点接触あるいは点接触に近い接触形態となる形状を有することを特徴とする紙搬送装置。
【請求項８】
請求項１ないし７のいずれかの紙搬送装置を備えることを特徴とする画像形成装置。
【発明の詳細な説明】
【０００１】
【発明の属する技術分野】
本発明は、コピー機、プリンタ、ファクシミリまたはこれらの複合機、印刷機等の画像形成装置に用いる紙搬送装置に関する。
【０００２】
【従来の技術】
従来、紙搬送用の駆動ローラに従動ローラを圧接させることによって両ローラの間に挟んだ用紙を所定方向へ搬送する紙搬送装置が周知である。この種の紙搬送装置において、紙搬送用の駆動ローラに圧接させる従動ローラの支持機構としては、例えば特開昭６３−６６５８３号公報に開示されているように、板バネを用いて従動ローラに対して駆動ローラに圧接する付勢力を与えるとともに、従動ローラ支持部材に固定するものがある。また、特開平９−１８８４４９号公報には、同種の機構において、板バネを固定するネジを削減し、部品点数削減によるコストダウンを図った技術が開示されている。
【０００３】
前述した板バネの固定方法としては、図７に示すように、支持孔３６に板バネ段付き曲げ部１３２ａ、１３３を挿入し、２ヶ所の穴１３８を同じく２ヶ所の受け突起１３７に挿入して回転止めとした構成のものがある。また図８に示すように、従動ローラ１０１を板バネ１０２の一端部１０２ａにおいて回動可能にかつ駆動ローラ１０３方向に付勢するように支持し、また板バネ１０２の他端部１０２ｂを支持部材１０４に突設した突起１０４ａに圧入して固定する方法、あるいは、図９に示すように、従動ローラ１０１を一端部１０２ａで支持した板バネ１０２の他端部１０２ｂを、支持部材１０４にネジ１０５で固定する方法がある。
【０００４】
【発明が解決しようとする課題】
しかしながら、これら従来の技術においては、２ヶ所の受け突起で位置規制しようとしても突起の間隔が狭いために位置精度を上げることが難しかったり、板バネの固定に組み付け治具を必要とする圧入であるため組み付け後の位置精度あるいは固定圧の管理が難しかったり、ネジ止めであるためネジ固定時の回転トルクでネジ固定部を中心に板バネの方向が曲がったりするというという問題がある。
【０００５】
また特開平９−１８８４４９号公報に開示されている技術においては、支持孔に板バネ段付き曲げ部を挿入し、２ヶ所の穴を同じく２ヶ所の受け突起に挿入して回転止めとした構成としているが、２ヶ所の受け突起で位置規制しようとしても突起の間隔が狭いために位置精度を上げることが難しいという問題がある。
【０００６】
そこで本発明は、上記従来の問題点を解決し、駆動ローラに対する従動ローラの位置精度（平行度）を向上させ、スキュー発生原因を低減し得る紙搬送装置及びそのような紙搬送装置を用いた画像形成装置を提供することを目的とする。
【０００７】
【課題を解決するための手段】
本発明の請求項１に係る紙搬送装置は、上記目的を達成するために、紙搬送用の駆動ローラと、該駆動ローラに圧接させる従動ローラと、該従動ローラを回転可能に支持するとともに上記駆動ローラに上記従動ローラを圧接付勢する板バネとを備え、上記駆動ローラと上記従動ローラとで用紙を搬送する紙搬送装置において、上記板バネを、上記駆動ローラ及び上記従動ローラの圧接部分を含む面と垂直な軸の周りで回転可能に保持してなることを特徴とする。
【０００８】
同請求項２に係るものは、上記目的を達成するために、請求項１の紙搬送装置において、上記板バネを支持する部材を備え、上記板バネの上記支持部材への取り付け部位に穴を設け、該穴に、上記支持部材に設けた突起を嵌合させて上記板バネを回転可能に保持してなることを特徴とする。
【０００９】
同請求項３に係るものは、上記目的を達成するために、請求項１の紙搬送装置において、上記板バネを支持する部材を備え、上記板バネの上記支持部材への取り付け部位に穴を設け、該穴と、上記支持部材に設けた穴とを通して段付きネジを上記支持部材にねじ込み、該段付きネジの段部で上記板バネを回転可能に保持してなることを特徴とする。
【００１０】
同請求項４に係るものは、上記目的を達成するために、紙搬送用の駆動ローラと、該駆動ローラに圧接させる従動ローラと、該従動ローラを回転可能に支持するとともに上記駆動ローラに上記従動ローラを圧接付勢する平坦形状の板バネとを備え、該板バネの一端部に設けた一対の曲げ部の穴間に上記従動ローラの軸を支持して該従動ローラを上記駆動ローラと平行に支持し、上記駆動ローラと上記従動ローラとの間に挟んだ用紙を搬送する紙搬送装置において、上記板バネを支持する部材を備え、該支持部材の上記板バネの取り付け部位に穴を設け、該穴に上記支持部材に設けた突起を嵌合させ、上記板バネを、上記駆動ローラ及び上記従動ローラの圧接部分を含む面と垂直な軸の周りで上記嵌合部位を中心に回転可能に保持してなることを特徴とする。
【００１１】
同請求項５に係るものは、上記目的を達成するために、紙搬送用の駆動ローラと、該駆動ローラに圧接させる従動ローラと、該従動ローラを回転可能に支持するとともに上記駆動ローラに上記従動ローラを圧接付勢する平坦形状の板バネとを備え、該板バネの一端部に設けた一対の曲げ部の穴間に上記従動ローラの軸を支持して該従動ローラを上記駆動ローラと平行に支持し、上記駆動ローラと上記従動ローラとの間に挟んだ用紙を搬送する紙搬送装置において、上記板バネを支持する部材を備え、上記板バネの上記支持部材への取り付け部位に穴を設け、該穴と上記支持部材に設けた穴とを通して段付きネジを上記支持部材にねじ込み、該段付きネジの段部で上記板バネを上記支持部材から浮かせて、上記駆動ローラ及び上記従動ローラの圧接部分を含む面と垂直な軸の周りで上段付きネジの軸線を中心に回転可能に保持してなることを特徴とする。
【００１２】
同請求項６に係るものは、上記目的を達成するために、紙搬送用の駆動ローラと、該駆動ローラに圧接させる従動ローラと、該従動ローラを回転可能に支持するとともに上記駆動ローラに上記従動ローラを圧接付勢する板バネとを備え、上記駆動ローラと上記従動ローラとで用紙を搬送する画像形成装置用の紙搬送装置であって、上記板バネを、上記駆動ローラ及び上記従動ローラの圧接部分を含む面と垂直な軸の周りで回転可能に保持するものにおいて、上記板バネを支持する支持部材を備え、該支持部材が上記板バネ支持位置に突起を備え、上記板バネの該支持部材への取り付け部位に上記突起が嵌合可能な第１の穴を設け、上記板バネの上記従動ローラを圧接付勢する側との反対側の部位に第２の穴を設け、上記支持部材の該第２の穴との対応部位に該第２の穴の縁に引っ掛け可能な爪部を備えてなることを特徴とする。
【００１３】
同請求項７に係るものは、上記目的を達成するために、請求項６の画像形成装置用の紙搬送装置において、上記支持部材の爪部を引っ掛ける上記板バネの第２の穴の縁が、上記第１の穴から離れる方向へ凸となる円弧形状を有するとともに、上記爪部の該円弧形状の縁に対峙する部位が、該縁と非接触または点接触あるいは点接触に近い接触形態となる形状を有することを特徴とする画像形成装置用の紙搬送装置。
【００１４】
本発明の請求項８に係る画像形成装置は、上記目的を達成するために、請求項１ないし５のいずれかの紙搬送装置を備えることを特徴とする。
【００１５】
【発明の実施の形態】
以下本発明の実施の形態を図面を参照して説明する。なお以下では従来と共通する部分には共通する符号を付すにとどめ重複する説明は省略する。
図１は、本発明の実施対象である画像形成装置における紙搬送装置の一例を示す断面図である。図中１は用紙で、用紙１は図１に示していない上昇機構によって給紙ローラ２に押し当てる。給紙ローラ２に対向して分離パッド３、分離パッド３の圧縮スプリング３ａが設けてある。この機構では、給紙信号の到来により給紙ローラ２が回転駆動され、用紙１の束のうちの最上紙のみを分離して次のレジストローラ６へ送る。
【００１６】
そして用紙１がレジストローラ６に到着した後も給紙ローラ２を所定時間にわたって回転駆動し続け、その後に停止させることで、レジストローラ６と給紙ローラ２の間で用紙１にたわみを形成する。その後、レジストローラ６を再駆動し、用紙１の搬送も再スタートさせる。用紙１は、感光体７、転写ローラ８のニップでトナーを転写され、その後定着ローラ１０ａ、加圧ローラ１０ｂを通って画像を定着され、排紙ローラ１１に到達する。
【００１７】
排紙ローラ１１は、正、逆転いずれも可能で、用紙１の後端が分岐爪１３を通過した後に逆転を開始し（分岐爪は図の斜線状態に回転させる）、用紙１を転写／反転ガイド板９に保持した駆動ローラ３０へと搬送する。この駆動ローラ３０には、従動ローラ３１が圧接しており、用紙１をレジストローラ６に搬送し、用紙１の先端がレジストローラ６に到着した後も駆動ローラ３０を所定時間にわたって駆動し続けてから止まることで、レジストローラ６と駆動ローラ３０の間で用紙１にたわみを形成する。そして、レジストローラ６の再駆動で用紙１裏面への画形成動作がスタートする。
【００１８】
図２は本発明に係る紙搬送装置の第１実施形態を示す斜視図である。本実施形態は、転写／反転ガイド板９に設けた支持孔３６に、平坦形状の弾性部材からなる板バネ３２の段付き曲げ部３２ａ、３３を挿入し、板バネ３２の平坦面中央に設けた穴３８を、転写／反転ガイド板９の対応部位に設けた受け突起３７に挿入する構成としてある。受け突起３７は、駆動ローラ３０及び従動ローラ３１の圧接部分を含む面と垂直になるように転写／反転ガイド板９に一体にモールド成形すればよいが、もちろん別部材を取り付けてもよい。板バネ３２の一端には一対の支持腕３４が曲折形成してあり（図は一方のみ示す）、これら支持腕３４、３４の穴間に従動ローラ３１の軸を通して軸支し、従動ローラ３１を駆動ローラ３０と平行かつ回転自在に支持してある。
【００１９】
図３をも参照して本実施形態の動作を説明する。板バネ３２が図示のように図中左側に傾いていると、板バネ３２で保持する従動ローラ３１も図中左に傾いて駆動ローラ３０に圧接する。駆動ローラ３０が回転して従動ローラ３１に駆動力が掛かると、板バネ３２の穴３８部に受け突起３７を中心に図中右回りのモーメントが働く。このモーメントは、それぞれのローラの軸心３０ａ、３１ａが平行になったところで０になるため、駆動ローラ３０が回転している時は常に駆動ローラ３０に対し従動ローラ３１は平行に保持されることになる。
【００２０】
図４は本発明に係る紙搬送装置の第２実施形態を示す斜視図である。本実施形態の基本構成は第１実施形態とほぼ同様であるが、支持孔３６に板バネ段付き曲げ部３２ａ、３３を挿入し、穴３８をネジ穴３９部に合わせ、ヘッダー加工を施した段付きネジ４０を駆動ローラ３０及び従動ローラ３１の圧接部分を含む面と垂直になるように転写／反転ガイド板９にねじ込んで締結する構成としてある。段付きネジ４０の段部の高さは、板バネ３２の厚さよりも高くして板バネ３２が転写／反転ガイド板９の表面に密着しないようにしてあり、板バネ３２が段付きネジ４０の段部を中心にして回転可能としてある。
【００２１】
本実施形態の基本的な動作は第１実施形態と同様であるので説明を省略するが、従動ローラ３１が定着ユニット等の高温部近傍に位置している場合は、受け突起３７が熱で膨張し、受け突起３７と穴３８のクリアランスが無くなったり、熱で受け突起３７の形状が変形して回転可能とした機能が維持できなったりし得るが、本実施形態ではこのような場合でも段付きネジ４０によって回転可能な機能を維持できる。
【００２２】
図５は本発明に係る紙搬送装置の第３実施形態を示す分解斜視図（Ａ）と要部拡大分解斜視図（Ｂ）、図６は同じく要部の分解平面図である。本実施形態も、その基本構成としては第１実施形態とほぼ同様であるが、段付き曲げ部３３を上方へ折り曲げ、段付き曲げ部３２ａの従動ローラ３１を取り付ける側と反対側の先端部位に、転写／反転ガイド板９に設けた支持爪４１へ引っ掛けるための板バネ固定穴４２が設けてある。すなわち、穴３８を転写／反転ガイド板９の受け突起３７に挿入するだけでなく、支持爪４１を板バネ固定穴４２に挿入するように取り付け、支持爪４１で板バネ３２を押さえて取り付け得るようになっている。また板バネ固定穴４２は、支持爪４１を通せるだけでなく、板バネ３２が動けるように支持爪４１よりも大きな開口形状としてある。
【００２３】
図５（Ｂ）、図６に詳細に示すように、板バネ３２の板バネ固定穴４２は従動ローラ３１と反対側に位置する縁４２ａが穴３８と同心円をなす円弧形状で、かつ穴３８から離れる方向に凸となる形状としてある。また支持爪４１の爪先端部４１ａの周面部４１ｂ及び爪立ち上がり部４１ｃの側面部４１ｄもそれぞれ円弧状形状としてあり、特に爪立ち上がり部４１ｃの側面部４１ｄは板バネ固定穴４２の縁４２ａと同心円をなす円弧形状としてある。
【００２４】
もちろん、転写／反転ガイド板９の受け突起３７の中心から支持爪４１の爪先端部４１ａの周面部４１ｂまでの距離は、板バネ３２の穴３８の中心から板バネ固定穴４２の縁４２ａまでの距離よりも長くしてあり、板バネ３２の穴３８と板バネ固定穴４２を受け突起３７と支持爪４１とに引っ掛けて転写／反転ガイド板９に取り付けた状態では、爪先端部４１ａの下面が板バネ３２を押さえる構成となっている。また転写／反転ガイド板９の受け突起３７の中心から支持爪４１の爪立ち上がり部４１ｃの側面部４１ｄまでの距離は、板バネ３２の穴３８の中心から板バネ固定穴４２の縁４２ａまでの距離よりも短くなっており、組み立てを行うに際しては、支持爪４１の爪立ち上がり部４１ｃを受け突起３７側へ少し押し曲げれば爪先端部４１ｃが板バネ固定穴４２を通れるようになっている。
【００２５】
このため、板バネ３２を転写／反転ガイド板９に取り付ける際、板バネ３２の穴３８と板バネ固定穴４２の中心線を転写／反転ガイド板９の受け突起３７と支持爪４１の中心線上に合わせる必要が無い。すなわち、セット可能な範囲の角度のズレであれば、板バネ３２と支持爪４１の対応しあう部位がそれぞれ互いに対応する円形、円柱形あるいは円弧形状であるため、支持爪４１が板バネ固定穴４２の縁４２ａを越えて板バネ３２に引っ掛かる量は同じになり、板バネ３２のセットが容易に行える。
【００２６】
また同様に、板バネ３２を転写／反転ガイド板９にセットした後も、板バネ３２の板バネ固定穴４２の縁４２ａと支持爪４１の爪立ち上がり部４１ｃの側面部４１ｄとの間隔ｔが、板バネ３２が受け突起３７を中心に回転したとしても一定に保たれる。そのため、板バネ３２の縁４２ａと支持爪４１の側面部４１ｄとは非接触であり、板バネ３２が回転しても摺説等による負荷が生じることはなく、駆動ローラ３０の駆動力で従動ローラ３１の軸心を常に駆動ローラ３０の軸心と平行に支持することが可能である。
【００２７】
本実施形態においても、駆動ローラ３０が回転している時は常に駆動ローラ３０に対し従動ローラ３１は平行に保持されるという動作は、図３により説明した第１実施形態の動作と同様である。
【００２８】
なお上述の実施形態においては支持爪４１の爪立ち上がり部４１ｃの側面部４１ｄを板バネ固定穴４２の縁４２ａと同心円をなす円弧形状とし、かつ上述のように組み立て状態で非接触となるようにしているが、このような形状に本発明では限定されない。すなわち、爪立ち上がり部４１ｃの側面部４１ｄと板バネ固定穴４２の縁４２ａとが非接触状態だけでなく、点接触あるいは点接触に近い接触形態となれば、接触抵抗による負荷の増大がほとんど無いため同等の効果が得られるので、これらの部位の形状は図示の例に示すもの以外の形状であってもよい。また、爪立ち上がり部４１ｃの側面部４１ｄと板バネ固定穴４２の縁４２ａとの間の間隔ｔは必ずしも一定である必要はなく、非接触または点接触あるいは点接触に近い接触形態を保ち得る寸法関係であればよく、図示の例の関係に本発明は限定されない。
【００２９】
【発明の効果】
本発明に係る紙搬送装置及びこれを用いた画像形成装置は、以上説明してきたように、従動ローラを支持する板バネを１点を中心にして回転可能に保持する構成としたことで、駆動ローラの駆動力で従動ローラの軸心を常に駆動ローラの軸心と平行に支持することが可能になり、従動ローラと駆動ローラの平行度不良による転写紙の搬送スキュー低減が可能になるという効果がある。
【００３０】
また本発明の請求項６及び７に係る紙搬送装置及びこれを用いた画像形成装置は、以上説明してきたように、従動ローラを支持する板バネの第１の穴と支持部材の突起によって１点を中心にして回転可能に保持するとともに、板バネの第２の穴に支持部材の爪を通して押さえる構成としたことで、上記共通の効果に加え、従動ローラを支持する板バネを支持部材に取り付ける作業が非常に容易に行えるようになるという効果がある。
【図面の簡単な説明】
【図１】本発明の実施対象である画像形成装置における紙搬送装置の一例を示す断面図である。
【図２】本発明に係る紙搬送装置の第１実施形態の要部を示す斜視図である。
【図３】図２の紙搬送装置の動作を示す平面図である。
【図４】本発明に係る紙搬送装置の第２実施形態を示す斜視図である。
【図５】本発明に係る紙搬送装置の第３実施形態を示す分解斜視図（Ａ）と要部拡大分解斜視図（Ｂ）である。
【図６】図５の紙搬送装置の要部を分解して示す平面図である。
【図７】従来の板バネによるローラ支持構造を有する紙搬送装置の要部を示す斜視図である。
【図８】従来の板バネによるローラ支持構造を有する他の紙搬送装置の要部を示す斜視図である。
【図９】従来の板バネによるローラ支持構造を有するさらに他の紙搬送装置の要部を示す斜視図である。
【符号の説明】
１　用紙
２　給紙ローラ
３　分離パッド
６　レジストローラ
７　感光体
８　転写ローラ
９　転写／反転ガイド板
１０ａ　定着ローラ
１０ｂ　加圧ローラ
１１　排紙ローラ
１３　分岐爪
３０　駆動ローラ
３０ａ　駆動ローラの軸心
３１　従動ローラ
３１ａ　従動ローラの軸心
３２　板バネ
３２ａ、３３　段付き曲げ部
３４　支持腕
３６　支持孔
３７　受け突起
３８　穴
３９　ネジ穴
４０　段付きネジ
４１　支持爪
４１ａ　支持爪の爪先端部
４１ｂ　その周面部
４１ｃ　爪立ち上がり部
４１ｄ　その側面部
４２　板バネ固定穴
４２ａ　板バネ固定穴の縁
【図１】
2004131283.tif 000003
【図２】
2004131283.tif 000004
【図３】
2004131283.tif 000005
【図４】
2004131283.tif 000006
【図５】
2004131283.tif 000007
【図６】
2004131283.tif 000008
【図７】
2004131283.tif 000009
【図８】
2004131283.tif 000010
【図９】
2004131283.tif 000011